(57)【要約】      （修正有）【課題】治療動作をしているか否かの視覚による判別を可能とする電気式治療器を提供する。【解決手段】熱を発生させると同時に周辺に磁気を生じ、さらに振動する温熱磁気振動発生ユニット５，６を収納パック２内に有するパックタイプの温熱磁気振動治療器１である。収納パック２内に、温熱磁気振動発生ユニット５，６に対応して、温熱磁気振動発生ユニット５，６が治療動作時に一定のモードで点灯あるいは点滅する複数のＬＥＤ３を表面に配置したフレキシブル基板４を設ける。収納パック２はＬＥＤ３の発光を外部から視認できる窓部９ａ，１０ａを有する。【選択図】図１
0003187784.tif 000002
【実用新案登録請求の範囲】
【請求項１】
単数若しくは複数の治療ユニットを、収納パック内に収納してなる電気式治療器において、
前記治療ユニットは、温熱治療のための熱を発生させるものであり、
前記収納パック内に、前記治療ユニットに対応して、前記治療ユニットが治療動作をしている際に一定のモードで点灯あるいは点滅する発光手段を表面に配置したフレキシブル基板を設け、
前記収納パックに、前記発光手段の発光を外部から視認できる部分を形成したことを特徴とする電気式治療器。
【請求項２】
前記治療ユニットは、前記熱を発生させると同時に周辺に磁気を生じるものであることを特徴とする請求項１記載の電気式治療器。
【請求項３】
前記治療ユニットは、前記熱を発生させると同時に周辺に磁気を生じ、さらに振動するものであることを特徴とする請求項１記載の電気式治療器。
【請求項４】
前記フレキシブル基板は、前記治療ユニットの間に設けられ、
前記発光手段は、複数のＬＥＤ群を形成するように配置されたチップＬＥＤを複数個有するものであり、
前記外部から視認できる部分は、前記チップＬＥＤの各ＬＥＤ群に対応して形成された窓部であることを特徴とする請求項１〜３のいずれか１つに記載の電気式治療器。
【請求項５】
前記治療ユニットは、前記フレキシブル基板の裏面側に設けられ、
前記発光手段は、前記表面全体に亘って一様に配置されたチップＬＥＤを複数個有するものであり、
前記外部から視認できる部分は、前記チップＬＥＤが配置される領域に対応して形成された窓部であることを特徴とする請求項１〜３のいずれか１つに記載の電気式治療器。
【請求項６】
前記外部から視認できる部分は、光散乱膜又は半透明膜を介して前記発光手段の発光を視認できるように構成されていることを特徴とする請求項１〜５のいずれか１つに記載の電気式治療器。
【請求項７】
前記治療ユニットは、温熱と共に磁気を発生する温度モードと、温熱、磁気の発生に加えて、振動する振動モードとを有し、
前記温度モードと振動モードとで、前記発光手段の点灯あるいは点滅のモードが異なることを特徴とする請求項３に記載の電気式治療器。
【考案の詳細な説明】
【技術分野】
【０００１】
本考案は、温熱治療器、温熱磁気治療器、温熱磁気振動治療器などの電気式治療器に関するものである。
【背景技術】
【０００２】
この種の治療器としては、電源への接続や電源スイッチのオン等により、熱を発生させて温熱し、それと同時に周辺に磁気を生じさせることを可能とする温熱磁気発生素子（治療ユニット）を収納ケース内に設けたものは知られている（例えば、特許文献１参照）。
【先行技術文献】
【特許文献】
【０００３】
【特許文献１】特開２００９−５８２１号公報
【考案の概要】
【考案が解決しようとする課題】
【０００４】
特許文献１記載されるような治療器においては、治療ユニットとしての温熱磁気発生素子への通電時に点灯するＬＥＤが１つ設けられ、電源への接続や電源スイッチのオン等により、そのＬＥＤを見ることで、通電状態にあることがわかるに過ぎない。
【０００５】
ところで、前述したような治療器においては、通電状態にあるか否かだけでなく、温熱や磁気により治療している治療動作時であるかどうかを、視覚により確認できるようにしたいという要求がある。
【０００６】
そこで、そのように視覚により治療中であることを認識できれば、患者に安心感を与え、治療効果を高めることができると考えられることから、考案者は、本考案をなしたものである。
【０００７】
その場合、赤、緑、青の三原色のＬＥＤを使用し、磁気の発生を視覚により判別できるようにすれば、副次的な効果としてＬＥＤ光線によるカラーセラピー（色彩療法）効果が患者の精神にリラックス感を与えることが判明しているので、このことを利用することができる。ここで、カラーセラピーとは、色の持つ力を利用するセラピーである。
【０００８】
本考案は、電気式治療器において、治療動作をしているか否かの視覚による判別を可能とすることを目的とする。
【課題を解決するための手段】
【０００９】
請求項１の考案は、単数若しくは複数の治療ユニットを、収納パック内に収納してなる電気式治療器において、前記治療ユニットは、温熱治療のための熱を発生させるものであり、前記収納パック内に、前記治療ユニットに対応して、前記治療ユニットが治療動作をしている際に一定のモードで点灯あるいは点滅する発光手段を表面に配置したフレキシブル基板を設け、前記収納パックに、前記発光手段の発光を外部から視認できる部分を形成したことを特徴とする。
【００１０】
このようにすれば、治療ユニットが治療動作している際に、発光手段が一定のモードで点灯あるいは点滅するので、治療ユニットが治療動作していることを、患者が視覚的に確認することができる。よって、使用している患者の精神にリラックス感を与えることができ、治療効果が向上する。特に、発光手段が発する光で赤、緑、青の三原色を組み合わせるようにすれば、副次的な効果としてのカラーセラピー（色彩療法）効果により患者の精神のリラックス感を高める上で有利となる。
【００１１】
この場合、請求項２に記載のように、前記治療ユニットは、前記熱を発生させると同時に周辺に磁気を生じるものとしたり、請求項３に記載のように、前記治療ユニットは、前記熱を発生させると同時に周辺に磁気を生じ、さらに振動するものとしたりすることができる。
【００１２】
また、請求項４に記載のように、前記フレキシブル基板は、前記治療ユニットの間に設けられ、前記発光手段は、複数のＬＥＤ群を形成するように配置されたチップＬＥＤを複数個有するものであり、前記外部から視認できる部分は、前記チップＬＥＤの各ＬＥＤ群に対応して形成された窓部である構成とすることができる。
【００１３】
このようにすれば、治療ユニットの間のスペースを利用して、フレキシブル基板（発光手段）を無理なく配置することができる。
【００１４】
請求項５に記載のように、前記治療ユニットは、前記フレキシブル基板の裏面側に設けられ、前記発光手段は、前記表面全体に亘って一様に配置されたチップＬＥＤを複数個有するものであり、前記外部から視認できる部分は、前記チップＬＥＤが配置される領域に対応して形成された窓部である構成とすることもできる。
【００１５】
このようにすれば、フレキシブル基板に対し、広範囲に亘って、複数のＬＥＤを配置することができる。
【００１６】
請求項６に記載のように、前記外部から視認できる部分は、光散乱膜又は半透明膜を介して前記発光手段の発光を視認できるように構成されていることが望ましい。
【００１７】
このようにすれば、発光手段の視認性を高めることができ、治療効果の向上に有利となる。
【００１８】
請求項７に記載のように、前記治療ユニットは、温熱と共に磁気を発生する温度モードと、温熱、磁気の発生に加えて、振動する振動モードとを有し、前記温度モードと振動モードとで、前記発光手段の点灯あるいは点滅のモードが異なるように構成することができる。
【００１９】
このようにすれば、いずれのモードが選択されているかが、発光手段の点灯あるいは点滅の態様から容易にわかる。
【考案の効果】
【００２０】
本考案は、治療ユニットが治療動作している際に、発光手段が一定のモードで点灯あるいは点滅するので、治療ユニットが治療動作していることを、患者が視覚的に確認できるようになり、患者の精神にリラックス感を与えることができ、治療効果が向上する。特に、発光手段が発する光で赤、緑、青の三原色を組み合わせるようにすれば、カラーセラピー（色彩療法）効果により患者の精神のリラックス感を高める上で有利となる。
【図面の簡単な説明】
【００２１】
【図１】本考案に係る電気式治療器の一実施の形態である温熱磁気振動治療器を示し、（ａ）は一部断面概略平面図、（ｂ）は概略断面側面図である
【図２】前記温熱磁気振動治療器を制御する制御回路図である。
【図３】別の実施形態を示し、（ａ）（ｂ）はそれぞれ図１（ａ）（ｂ）と同様の図である。
【考案を実施するための形態】
【００２２】
以下、本考案の実施の形態を図面に沿って説明する。
【００２３】
図１は本考案に係る電気式治療器の一実施の形態である温熱磁気振動治療器を示し、（ａ）は一部断面概略平面図、（ｂ）は概略断面側面図である。
【００２４】
図１に示すように、温熱磁気振動治療器１は、平面視長方形状の収納パック２を備えるパックタイプである。そして、収納パック２内の長手方向中央部に複数のチップＬＥＤ３（赤、緑、青の三原色のＬＥＤ）が３つのＬＥＤ群Ａ１，Ａ２，Ａ３として表面に配置されたフレキシブル基板４が配置されている。そして、そのフレキシブル基板４の両側に、熱を発生させると同時に周辺に磁気を生じ、さらに振動する温熱磁気振動発生ユニット５，６（治療ユニット）がそれぞれ配置されている。つまり、２つの温熱磁気振動発生ユニット５，６の配置に対応して、それらと干渉しないようにそれらの間にフレキシブル基板４が余裕をもって配置されている。
【００２５】
フレキシブル基板４は、透光可能な材料からなる保護ケース７内に収納され、透光面（治療面）側には光散乱膜８（半透明膜であってもよい）が設けられている。収納パック２は内側の防水レザーカバー９と外側の外装カバー１０との２重構造であり、レザーカバー９の窓部９ａと外装カバー１０の窓部１０ａとにより収納パック２の円形状のパック窓部が形成されている。
【００２６】
このパック窓部は、ＬＥＤ３の発光を外部から視認できる部分として、各ＬＥＤ群Ａ１〜Ａ３に対応して形成されている。つまり、フレキシブル基板４の各ＬＥＤ群Ａ１〜Ａ３のＬＥＤ３は、温熱磁気振動発生ユニット５，６が治療動作をしている際に一定のモードで点灯あるいは点滅し、その点灯あるいは点滅状態を、収納パック２の円形状のパック窓部（窓部９ａ，１０ａ）を通じて外部から視認できるようになっている。
【００２７】
なお、フレキシブル基板４には、具体的には図示していないが、フレキシブル基板４の裏面にも複数個のＬＥＤが設けられ、治療器１の治療動作中には、パック窓部（窓部９ａ，１０ａ）があり治療面となる側とは反対側からも、治療中の患者やその周辺の人（特に、担当の医師や看護師）がモニターできるようにＬＥＤ３の光が収納パック２を介して漏れるようになっている。
【００２８】
フレキシブル基板４及び温熱磁気振動発生ユニット５，６は、それらの一方の側において、チップＬＥＤ３（ＬＥＤ群Ａ１，Ａ２，Ａ３）や温熱磁気振動発生ユニット５，６を駆動制御するための制御基板１１に接続されている。制御基板１１に対し、温熱磁気振動発生ユニット５，６の温度（温熱）を制御すると同時に磁気を発生させる温度モードと、温度（温熱）制御、磁気の発生に加えて、ユニット５，６が振動する振動モードとを切り換えるモード切替スイッチ１２が設けられている。また、制御基板１１には給電コード１３を介して接続プラグ１４が設けられている。
【００２９】
温熱磁気振動治療器１を制御する制御基板１１によって、図２に示すように、チップＬＥＤ３（ＬＥＤ群Ａ１，Ａ２，Ａ３）や温熱磁気振動発生ユニット５，６を制御する制御回路が構成されている。つまり、ＬＥＤ発光回路２１、ＬＥＤドライブ回路２２、ＬＥＤコントロール回路２３（Ａ−Ｄ変換回路）、安定化電源２４を備える。
【００３０】
そして、ＬＥＤ群Ａ１〜Ａ３としての、複数のＬＥＤ３の発光状態を、収納パック２の窓部を通じて視認できるようにしているので、例えば、温度のみを制御する温度モードでは、ＬＥＤ３が規則的に点灯するだけとする（図１（ａ）のＬＥＤ群Ａ２参照）一方、磁気が発生する振動モードでは、ＬＥＤ３は、光が外に向かってぐるぐる回りながら渦巻くように点滅する（図１（ａ）のＬＥＤ群Ａ３参照）ように点灯制御するようにして、いずれのモードが選択されているかを視覚を通じて確認できるようにすることができる。つまり、温度モードと振動モードで、ＬＥＤ３の点灯・点滅の態様を変えることで、治療動作時に、いずれのモードであるかを視覚により容易に判別することができる。なお、図１（ａ）のＬＥＤ群Ａ１は消灯状態を示す。
【００３１】
それに加えて、次のような種々の作用効果を奏することができる。
(i)チップＬＥＤ３を用いているので、狭い範囲に多数を光源として配置することができ、三原色の彩度をより鮮やかに、かつ滑らかにすることができる。
(ii)ＬＥＤ３を三原色の法則に従って発光させることにより、好みの色彩を発光させることができる。
(iii)ＬＥＤ３の発光を制御基板１１の制御回路（例えばＬＳＩ）で制御するので、様々な模様を描くことができる。
(iv)治療器１の出力電圧に連動して色彩を変化させるようにすれば、患者の好みにあわせて出力を選択できる。患者の好みの文様・色彩を選択できるので、患者の治療に対する心理的効果に大きく貢献する。
(v)フレキシブル基板４を採用するので、治療器１を患者の体型に容易にフィットさせることができる。
(vi)接続プラグ１４で電源に接続する方式であるので、従来のパックタイプの電気式治療器において用いられている接続プラグと同じものを用いれば、従来のパックタイプの電気式治療器の電源を利用することができる。
【００３２】
前述したほか、温熱磁気振動発生ユニットが治療動作をしている際に一定のモードで点灯あるいは点滅するＬＥＤ３を視認するパック窓部を、例えば図３（ａ）（ｂ）に示すように、フレキシブル基板３４を収納パック２とほぼ同じ大きさとすると共に、多数のチップＬＥＤ３を用い、チップＬＥＤ３をフレキシブル基板３４の表面全体にわたって一様に配置し、ＬＥＤ３によって点灯あるいは点滅する面積を大きくすることも可能である。この場合には、収納パック２の大きさにほぼ等しくチップＬＥＤ３の配置領域に対応する大きさであって形状が略矩形状であるパック窓部（レザーカバー９の窓部９ｂと外装カバー１０の窓部１０ｂ）を通じて、ＬＥＤ３の点灯・点滅状態を視認することになり、あたかも収納パック２の治療面のほぼ全体が点灯・点滅しているように見える。そして、収納パック２内において、フレキシブル基板３４（保護ケース３５）は、治療面側に配置され、フレキシブル基板３４の裏面側に３つの温熱磁気振動発生ユニット３１，３２，３３がパック長手方向（フレキシブル基板３４の長手方向でもある）に直交する方向に並んで配置されている。つまり、フレシキブル基板３４は、可撓性が損なわれることがないように、温熱磁気振動発生ユニット３１〜３３に対応して設けられている。
【００３３】
フレキシブル基板３４に接続される制御基板１１は、パック長手方向の一方の側に配置され、各温熱磁気振動発生ユニット３１〜３３が配線３５を通じて制御基板１１に接続される。なお、図３（ａ）は、左側部分のＬＥＤが消灯状態を、右側部分の赤、緑、青の三原色のＬＥＤが全点灯状態を示す。
【００３４】
前記実施の形態では、３色のＬＥＤを使用しているが、本考案はそれに制限されるものではなく、２色のＬＥＤや単色のＬＥＤを使用することも可能である。
【００３５】
また、前記実施の形態では、治療ユニットとして、熱を発生させると同時に周辺に磁気を生じ、さらに振動する温熱磁気振動発生ユニットを用いる電気式治療器に適用しているが、本考案はそれに制限されるものではなく、熱を発生させると同時に周辺に磁気を生じるが振動を発生しない温熱磁気発生ユニットを治療ユニットとして有する電気式治療器、や熱を発生させるだけである温熱発生ユニットを治療ユニットとして有する電気式治療器（いわゆる乾式ホットパック）に適用することも可能である。
【００３６】
さらに、光が透過可能な材料からなるカバーで治療器を覆って使用することもできるのはいうまでもない。
【符号の説明】
【００３７】
１  温熱磁気振動治療器（電気式治療器）
２  収納パック
３  チップ型ＬＥＤ
４  フレキシブル基板
５，６  温熱磁気振動発生ユニット（治療ユニット）
７  保護ケース
８  光散乱膜
９  レザーカバー
９ａ，９ｂ  窓部
１０  外装カバー
１０ａ，１０ｂ  窓部
１１  制御基板
１２  モード切替スイッチ
１３  給電コード
１４  接続プラグ
２１  ＬＥＤ発光回路
２２  ＬＥＤドライブ回路
２３  ＬＥＤコントロール回路（Ａ−Ｄ変換回路）
２４  安定化電源
３１〜３３  温熱磁気振動発生ユニット
３４  フレキシブル基板
３５  配線
【図１】
0003187784.tif 000003
【図２】
0003187784.tif 000004
【図３】
0003187784.tif 000005